(57)【特許請求の範囲】
【請求項１】
カード挿入口から挿入されたカードをカード処理部に取込む取込み手段を備えたカード処理装置におけるカード取込み構造において、前記取込み手段は、カード挿入口から挿入されたカードに追従して移動する保持部材と、取り込まれるカードの面と平行に設けられカードの挿入方向に向かって漸次隆起する斜面と扁平面とで形成されたカム部を有するカム板とを備え、前記保持部材を、取り込まれるカードの面に対向する対接部と、この対接部とカードを挟むようにして回転自在かつカードの面と直交する方向に移動自在に支持され前記カム部上を摺動するローラと、このローラを前記カム部側に付勢する付勢手段とによって構成したことを特徴とするカード処理装置におけるカード取込み構造。
【発明の詳細な説明】
【０００１】
【発明の属する技術分野】
本発明は、カード処理装置において、カード挿入口から挿入されたカードをカード処理部に確実に取り込むためのカード取込み構造に関する。
【０００２】
【従来の技術】
この種のカード処理装置におけるカード取込み構造としては、特公平７−１０１４４２号公報に開示されたものがある。ここに開示されたものは、カード挿入口を開閉するカバーと、このカバーの開閉動作に連動して動作するカード搬送機構とを備え、カード搬送機構は、スライダとカードフックによって構成され、カード挿入時にはカードフックがカードを搬送し、カード排出時にはスライダーがカードを搬送するように構成されている。
【０００３】
【発明が解決しようとする課題】
上述した従来のカード処理装置におけるカード取込み構造においては、カバー、スライダー、カードフック等が必要なために、部品点数が増加するだけでなく、装置が大型化するという問題があった。
【０００４】
本発明は上記した従来の問題に鑑みなされたものであり、その目的とするところは、部品点数を削減するとともに、装置の小型化を図ったカード処理装置におけるカード取込み構造を提供することにある。
【０００５】
【課題を解決するための手段】
この目的を達成するために、請求項１に係る発明は、カード挿入口から挿入されたカードをカード処理部に取込む取込み手段を備えたカード処理装置におけるカード取込み構造において、前記取込み手段は、カード挿入口から挿入されたカードに追従して移動する保持部材と、取り込まれるカードの面と平行に設けられカードの挿入方向に向かって漸次隆起する斜面と扁平面とで形成されたカム部を有するカム板とを備え、前記保持部材を、取り込まれるカードの面に対向する対接部と、この対接部とカードを挟むようにして回転自在かつカードの面と直交する方向に移動自在に支持され前記カム部上を摺動するローラと、このローラを前記カム部側に付勢する付勢手段とによって構成したものである。
したがって、取込み手段によってカードが取り込まれると、保持部材も移動しカム上を摺動するローラが付勢手段の付勢力に抗してカード側に進出し、カードが対接部とローラとで挟持されて保持される。
【０００７】
【発明の実施の形態】
以下、本発明の実施の形態を図に基づいて説明する。図１は本発明に係るカード処理装置の正面図、図２は同じく一部を破断して示す側面図、図３は同じく一部を破断して示す底面図である。図４は同じくカード保持部材を分解して示す斜視図、図５は同じくカード保持部材を示し、同図（ａ）は側面図、同図（ｂ）は正面図、同図（ｃ）は平面図である。図６は同じくカードを取り込んだ状態を示す正面図である。図７ないし図９はカードを取り込む動作を説明するための要部の正面図で、図７はカードを取り込む前の状態を示し、図８はカードを取り込み始めた状態を示し、図９はカードを取り込んだ状態を示す。図１０は同じくカードを保持する動作を説明するための要部の平面図で、同図（ａ）はカードを保持する前の状態を示し、同図（ｂ）はカードを保持した状態を示す。
【０００８】
図２において、全体を符号１で示すカード処理装置は基台２上に設けられ、この基台２には、互いに間隔を隔てて対向する支持板３，４がそれぞれ立設されている。一方の支持板３の外面（他方の支持板４と反対側の面）には、アンテナ基板１１が設けられ、このアンテナ基板１１では、後述するカード処理部１７に取り込まれた非接触型ＩＣカード（以下、単にカードと略称する）５のアンテナ部と、無線でデータのやりとりを行いカード５に記録されているデータの処理を行う。一方の支持板３の内面には、図３および図１０に示すように、矢印Ａ−Ｂ方向に延在するカム板１２が設けられ、このカム板１２の表面には、矢印Ａ−Ｂ方向の略中央から矢印Ａ方向に向かって漸次隆起する斜面と扁平面とで形成されたカム部１３が設けられている。
【０００９】
一方の支持板３の内面の上部と中央部には、図１に示すように、矢印Ａ−Ｂ方向に延在する一対のガイド部材１５，１５が互いに平行となるように固定されている。これらガイド部材１５，１５の下端面と上端面には、互いに対向するガイド溝１６，１６が設けられ、これらガイド溝１６，１６の幅は、カード５の厚みよりも大きく形成され、これらガイド溝１６，１６間の間隔はカード５の幅よりもやや大きく形成されている。これらガイド溝１６，１６間に挟まれた領域はカード処理部１７を形成し、このカード処理部１７の図１中左端には、カード５を挿入し、かつ排出するカード挿入兼排出口１８が設けられている。一対のガイド部材１５，１５の表面には、上下一対のレール板１９，２０が、互いの下端１９ａと上端２０ａとが間隔を隔てて平行となるように固定されている。
【００１０】
図１および図２において、２５は固定軸２６を介して他方の支持板４に一端が枢支された補助レバーであって、この補助レバー２５の他端には、第１のレバー３０の一端（下端）が軸２９を介して枢支されている。この軸２９は、固定軸２６を回動中心として揺動可能となっているが、後述するようにカード挿入兼排出口１８から挿入されたカード５に追従して第１のレバーが回動するときの回動支点を構成するものであり、実質的には固定軸を構成するものであるから、以降固定軸２９と云う。
【００１１】
次に、この第１のレバー３０の他端（上端）に枢支されたカード保持部材３５について、図４および図５を用いて説明する。
図４に示すように、カード保持部材３５は、側面視Ｌ字状に形成された基部３７と、挟持部としてのローラ３８と、平面視コ字状に形成された板ばね３９と、外形が基部３７と同じ大きさで扁平な直方体に形成された対接部４０とによって概ね構成されている。基部３７には窓４１が穿設され、この窓４１の両端縁には、一対の軸支承溝４２，４２が凹設され、さらに一対のねじ孔４３，４３が螺設されている。また、この基部３７の一端には凸条体４４が突設され、この凸条体４４には一対の挿通孔４５，４５が穿孔され、この凸条体４４の窓４１側の一面は当接面４４ａを形成している。
【００１２】
ローラ３８は軸４７に回転自在に支持され、このローラ３８は、軸４７の両端部を基部３７の軸支承溝４２，４２に係入することにより、図５に示すように、外周の一部が窓４１から高さＴだけ露呈するようにして窓４１に収容される。板ばね３９は窓４１に収容されたローラ３８の軸４７の両端部を覆うようにして、基部３７のねじ孔４３，４３に螺合したねじ４９，４９によって基部３７の上面に固定される。
【００１３】
対接部４０の両側面には長手方向全体に延在する一対のガイド溝５１，５１が設けられ、一端側に一対のねじ孔５２，５２が形成され、中央に軸５３が植設されている。この対接部４０は、基部３７の凸条体４４の挿通孔４５，４５に挿通したねじ５３，５３をねじ孔５２，５２に螺合させることにより、図５（ｃ）に示すように、開口５５を有するようにして、基部３７に取り付けられる。図５に示すように、取り付けられた対接部４０とローラ３８との間には間隔Ｄが形成され、この間隔Ｄはカード５の厚みよりもやや大きくなるように形成されている。
【００１４】
このように組み立てられたカード保持部材３５は、図２に示すように、ガイド溝５１，５１が上下一対のレール板１９，２０の下端１９ａと上端２０ａに係入されることにより、図１において、矢印Ａ−Ｂ方向に移動自在に支持される。このように支持されたカード保持部材３５の開口５５は、図１０に示すように、カード挿入兼排出口１８から挿入され、ガイド部材１５，１５のガイド溝１６，１６にガイドされて取り込まれるカード５の通過路に位置付けられている。また、カード保持部材３５のローラ３８は、上述したカム板１２のカム部１３上を摺動するように位置付けられている。このカード保持部材３５は、第１のレバー３０の上端部に、軸５３を介して枢支されている。
【００１５】
次に、図１および図２を用いて、カード取込み・排出手段について説明する。
図１において、カード取込み・排出手段６０は、上述した第１のレバー３０と、この第１のレバー３０の略中央に設けた可動軸７０に共に枢支された第２および第３のレバー６１，６３と、これら第２および第３のレバー６１，６３間に弾装された第１の付勢手段としての圧縮コイルばね６４と、この圧縮コイルばね６４のばね力を蓄積するばね力蓄積手段６５とによって概ね構成されている。
【００１６】
第２のレバー６１は、上述したように可動軸７０を介して下端部が枢支されているとともに、上端部が、図２に示すように、支持板４に植設した固定軸７１に枢支されている。また、この第２のレバー６１は、一端が支持板４に植設した軸７２に掛けられた第２の付勢手段としての引張りコイルばね６２によって、固定軸７１を回動中心として、図１中時計方向、すなわち、カード５を排出する方向に付勢されている。また、第２のレバー６１の表面には、後述する作動レバー６６の凹溝７８に係入されるピン７３が植設されている。
【００１７】
ばね力蓄積手段６５は、図２に示すように一端が支持板４に植設された固定軸７７に枢支された作動レバー６６と、第３のレバー６３に軸７５によって回動自在に支持されたロック片６７とによって構成されている。作動レバー６６の他端には、ロック片６７が係合する係合凹部７９が形成されている。ロック片６７と係合凹部７９とが係合した状態において、第２のレバー６１が固定軸７１を回動中心として図１中反時計方向に回動すると、ピン７３も第２のレバー６１と一体的に反時計方向に回動する。
【００１８】
したがって、ピン７３が係入している凹溝７８を介して、作動レバー６６が固定軸７７を回動中心として反時計方向に回動するので、図８に示すように、作動レバー６６の他端が第２のレバー６１から長さｌだけ突出した状態になる。このため、第３のレバー６３は可動軸７０を回動中心として図８中反時計方向に回動するので、圧縮コイルばね６４は圧縮されてばね力が蓄積された状態になる。
【００１９】
この場合、第１のレバー３０の固定軸２９と第２のレバー６１の固定軸７１を結んだＣ−Ｃ線を境界線として、可動軸７０が、図８中左方に位置付けられているときには、圧縮コイルばね６４の圧縮されたばね力は、可動軸７０を左方に移動させるように作用する。一方、可動軸７０が図８に示すように、Ｃ−Ｃ線よりも右方に位置付けられると、圧縮コイルばね６４が圧縮されることにより蓄積されたばね力は、可動軸７０を右方に移動させるように作用する。この状態において、圧縮コイルばね６４が圧縮されることにより蓄積されるばね力が、引張りコイルばね６２の引張り力よりも大きく設定していることにより、圧縮コイルばね６４が圧縮されて蓄積されたばね力によって、第２のレバー６１は固定軸７１を回動中心として図中反時計方向に回動し、図９に示すような状態になる。すなわち、圧縮コイルばね６４が圧縮されることにより蓄積されたばね力によって、第２のレバー６１はＣ−Ｃ線を境界線として、死点越えするように構成されている。
【００２０】
この状態においては、ロック片６７と係合凹部７９とが係合しているので、可動軸７０に矢印Ａ方向の外力が加わり、第２のレバー６１を固定軸７１を回動中心として時計方向に回動させようとしても、圧縮コイルばね６４にばね力が蓄積されることにより、この状態が保持される。一方、ロック片６７を軸７５を回動中心として回動させ、係合凹部７９との係合を解除すると、圧縮コイルばね６４のばね力によって回動が規制されていた第３のレバー６３の時計方向の回動が可能になる。したがって、第２のレバー６１が引っ張りコイルばね６２の引張り力によって固定軸７１を回動中心として時計方向に回動して、図７に示す初期状態に復帰する。
【００２１】
次に、このように構成されたカード処理装置におけるカードの取込みおよび排出の動作について説明する。
図１に示すように、カード５を手によってカード挿入兼排出口１８から矢印Ａ方向に挿入すると、図１０（ａ）に示すように、カード５はカード保持部材３５の開口５５からローラ３８と対接部４０との間に挿入される。図５において、上述したように、ローラ３８と対接部４０との間隔Ｄがカード５の厚みよりも大きく形成されていることにより、カード５はローラ３８と対接部４０との間を通過し、先端が当接部４４ａに当接する。
【００２２】
さらに、カード５を矢印Ａ方向に挿入すると、図７において、カード５の挿入に追従してカード保持部材３５も矢印Ａ方向に移動するので、図１０（ｂ）に示すように、ローラ３８がカム板１２のカム部１３に対接し、ローラ３８が板ばね３９のばね力に抗して対接部４０側に移動する。したがって、カード５がローラ３８と対接部４０とに挟持されることにより保持される。このとき、ローラ３８がカム部１３に圧接されながら矢印Ａ方向に移動するので、ローラ３８は図中反時計方向に回転する。したがって、このローラ３８の反時計方向への回転によって、カード５は先端がカード保持部材３５の当接部４４ａに当接する方向に移動しようとするので、カードの取込みの際にカード５がカード保持部材３５から外れるのが防止される。
【００２３】
カード保持部材３５が矢印Ａ方向に移動すると、軸５３も矢印Ａ方向に移動するので、第１のレバー３０が固定軸２９を回動中心として反時計方向に回動する。したがって、第１のレバー３０の可動軸７０が矢印Ａ方向に移動するので、第２のレバー６１が固定軸７１を回動中心として反時計方向に回動する。この第２のレバー６１の反時計方向への回動と一体的にピン７３も回動するので、作動レバー６６が固定軸７７を回動中心として反時計方向に回動し、図８に示すように、先端が第２のレバー６１からｌだけ突出した状態になる。
【００２４】
したがって、第３のレバー６３が第２のレバー６１に対して可動軸７０を回動中心として反時計方向に回動するので、圧縮コイルばね６４のばね力が蓄積され始める。さらに、カード５を矢印Ａ方向に挿入し続けることにより、可動軸７０がＣ−Ｃ線を矢印Ａ方向に越えると、圧縮コイルばね６４に蓄積されたばね力によって第３のレバー６３が固定軸７１を回動中心として反時計方向に回動し、いわゆる死点越えする。したがって、第２のレバー６１も固定軸７１を回動中心として反時計方向に回動して、図９に示す状態になるので、カード保持部材３５に保持されたカード５は、カード保持部材３５の矢印Ａ方向への移動に追従して、カード５全体がカード処理部１７内に取り込まれる。この状態では、カード５の後端部がカード挿入兼排出口１８から露呈することがないから、カード処理部１７においてアンテナ基板１１によってカード５のデータが処理されている最中にカード５が、故意または誤って引き抜かれるようなことがない。
【００２５】
カード処理部１７において、カード５のデータが処理されたら、図９において、ロック片６７を軸７５を回動中心として回動させ、係合凹部７９との係合を解除する。ロック片６７と係合凹部７９との係合を解除すると、第２のレバー６１が引っ張りコイルばね６２の引張り力によって固定軸７１を回動中心として時計方向に回動して、図７に示す初期状態に復帰する。したがって、カード保持部材３５も矢印Ｂ方向に移動するので、カード５も矢印Ｂ方向に移動して、カード挿入兼排出口から突出する。
【００２６】
このとき、図１０（ａ）に示すように、カム板１２のカム部１３に対接していたカード保持部材３５のローラ３８がカム部１３から外れ、ローラ３８と対接部４０に挟持されていたカード５が解放されるので、カード５をカード処理部１７から抜き取ることができる。このカード保持部材３５が矢印Ｂ方向に移動するとき、図１０（ｂ）において、カム板１２のカム部１３に圧接されているローラ３８が図中時計方向に回転するので、カード５がカード保持部材３５の矢印Ｂ方向への移動量よりもさらに余分に矢印Ｂ方向に移動させられる。したがって、カード５がカード挿入兼排出口１８から余分に突出するので、カードの抜き取りが容易かつ確実に行える。
【００２７】
ここで、カード処理中に停電した場合にも、ロック片６７を操作してロック片６７と係合凹部７９との係合は解除することにより、引張りコイルばね６２の引張り力によってカード５の排出が可能になるので、利用者に対してサービスの向上を図ることができる。
【００２８】
本発明においては、カード５を保持するのに、カード５の移動に追従して移動するカード保持部材３５と、このカード保持部材３５のローラ３８を挟持部４０側に移動させるカム板１２とによって行うようにしたものである。したがって、従来のように、カードを取り込むのに、必要としていたカバー、スライダー、カードフック等が不要になるので、部品点数が削減されるだけでなく、装置が小型化かつ簡素化される。また、挟持部材をローラ３８としたことにより、カム部１３上を摺動する際に摩擦抵抗が低減され円滑に摺動するだけでなく、カード５の表面に傷が付くこともない。
【００２９】
なお、本実施の形態においては、挟持部をローラ３８としたが、基部３９に、カム１２のカム部１３上を摺動し、対接部４０側に弾性変形する係合片を一体形成してしてもよい。
【００３０】
【発明の効果】
以上説明したように、本発明によれば、部品点数が削減されるだけでなく、装置が小型化かつ簡素化される。また、ローラがカム部上を摺動する際に摩擦抵抗が低減され円滑に摺動するだけでなく、カードの表面に傷が付くこともない。また、カードの取込み時には、ローラがカードを取り込む方向に回転し、カードの排出時には、ローラがカードを排出する方向に回転するので、カードの取込みと排出が確実になる。
【図面の簡単な説明】
【図１】  本発明に係るカード処理装置の正面図である。
【図２】  本発明に係るカード処理装置の一部を破断して示す側面図である。
【図３】  本発明に係るカード処理装置の一部を破断して示す底面図である。
【図４】  本発明に係るカード処理装置において、カード保持部材を分解して示す斜視図である。
【図５】  本発明に係るカード処理装置において、カード保持部材を示し、同図（ａ）は側面図、同図（ｂ）は正面図、同図（ｃ）は平面図である。
【図６】  本発明に係るカード処理装置において、カードを取り込んだ状態を示す正面図である。
【図７】  本発明に係るカード処理装置において、カードを取り込む動作を説明するための要部の正面図で、カードを取り込む前の状態を示す。
【図８】  本発明に係るカード処理装置において、カードを取り込む動作を説明するための要部の正面図で、カードを取り込み始めた状態を示す。
【図９】  本発明に係るカード処理装置において、カードを取り込んだ状態を示す。
【図１０】  本発明に係るカード処理装置において、カードを保持する動作を説明するための要部の平面図で、同図（ａ）はカードを保持する前の状態を示し、同図（ｂ）はカードを保持した状態を示す。
【符号の説明】
１…カード処理装置、５…非接触ＩＣカード、１１…アンテナ基板、１２…カム板、１３…カム部、１７…カード処理部、１８…カード挿入兼排出口、３０…第１のレバー、３５…カード保持部材、３８…ローラ、３９…板ばね、４０…対接部、６０…カード取込み・排出手段。
【図１】
0004023104.tif 000002
【図２】
0004023104.tif 000003
【図３】
0004023104.tif 000004
【図４】
0004023104.tif 000005
【図５】
0004023104.tif 000006
【図６】
0004023104.tif 000007
【図７】
0004023104.tif 000008
【図８】
0004023104.tif 000009
【図９】
0004023104.tif 000010
【図１０】
0004023104.tif 000011